(57)【要約】【課題】  装置内部にアクセスするために設けられたカバーの半ロックを、簡易且つ低コストで防止できる手段を提供する。【解決手段】  本コピー・ファクシミリ複合機１００は、本体１０３の開口部３２に設けられた受け部３６と係合してジャムアクセスカバー３１を閉止位置に保持する一対の鉤状のフック８１，８２が、ロックレバー８０に所定間隔で一体に設けられ、且つ、フック８２の係合代Ｌ２がフック８１の係合代Ｌ１より深く形成されており、該ロックレバー８０が、ジャムアクセスカバー３１に、フック８１，８２が受け部３６と係合するロック位置とフック８１，８２が受け部３６から離間する解除位置とに回動可能に設けられ、ジャムアクセスカバー３１の閉止を検知するロックセンサ３７が、係合代Ｌ１の浅いフック８１側に設けられたものである。【選択図】  図６
2006039170.tif 000002
【特許請求の範囲】
【請求項１】
本体の開口部に枢設されて該開口部を開閉するカバーに、該開口部に設けられた受け部と係合して該カバーを閉止位置に保持する一対の鉤状のフックが設けられてなる画像形成装置において、
前記一対の鉤状のフックは、ロックレバーに所定間隔で一体に設けられ、且つ、一方のフックの係合代が他方のフックの係合代より深く形成されており、該ロックレバーが、前記カバーに、フックが受け部と係合するロック位置とフックが受け部から離間する解除位置とに移動可能に設けられ、該カバーの閉止を検知するロックセンサが、係合代の浅い他方のフック側の前記本体又はカバーに設けられたことを特徴とする画像形成装置。
【請求項２】
前記ロックレバーをロック位置に付勢するための弾性部材が、係合代の深いフック側にのみ設けられたことを特徴とする請求項１記載の画像形成装置。
【請求項３】
前記カバーに、補強リブが設けられたことを特徴とする請求項１又は２記載の画像形成装置。
【発明の詳細な説明】
【技術分野】
【０００１】
本発明は、記録用紙に文字や図形等の画像を形成するプリンタ、ファクシミリ、複写機等の画像形成装置に関する。
【背景技術】
【０００２】
記録用紙に文字や図形等を記録するための画像形成装置には、プリンタ、ファクシミリ、複写機等がある。これらプリンタ、ファクシミリ、複写機等に用いられる画像形成装置では、予め記録用紙が充填された給紙カセットから排紙トレイへ搬送路が形成され、該搬送路を記録用紙が搬送される過程で、画像形成部により記録用紙上に画像が形成されるようになっている。
【０００３】
図９は、従来の画像形成装置の画像形成部の一例を示すものであるが、所定のバイアス電圧が印加された帯電デバイス９０１により感光体ドラム９０２の表面が帯電され、ＬＥＤヘッド９０３が画像情報に応じて該感光体ドラム９０２を選択的に露光することにより感光体ドラム９０２の表面に静電潜像が形成される。該静電潜像に対して現像デバイス９０４が帯電されたトナーを供給してトナー画像を形成し、該トナー画像が所定のバイアス電圧が印加された転写ローラ９０５により記録用紙に転写される。該記録用紙は、その後、定着デバイス９０６により熱及び圧力が付与され、転写されたトナー画像が定着される。一方、トナーが転写された感光体ドラム９０２は、除電デバイス９０７により表面電荷が除かれた後、清掃デバイス９０８により表面に残留したトナーが取り除かれ、再び帯電デバイス９０１により帯電されるようになっている。
【０００４】
このような画像形成部は、例えば帯電デバイス９０１、感光体ドラム９０２、現像デバイス９０４、除電デバイス９０７、及び清掃デバイス９０８がプロセスユニット９００として装置本体に着脱可能な一体のカートリッジに収容されている。これにより、例えば感光体ドラム９０２が劣化していたりトナーが不足している等のメンテナンスの際に、該プロセスユニット９００を一体として交換でき、メンテナンス作業の簡易化が図られている。
【０００５】
したがって、従来のプリンタ、ファクシミリ、複写機等には、前記プロセスユニット９００を交換するために、装置の前面や側面に開閉可能なカバーが設けられている。また、搬送路において紙詰まりが生じた場合にも、該カバーを開いて装置の内部にアクセスし、紙詰まりを解消できる構成としている。一般に、このようなカバーは、不用意に開くことがないように閉じた状態でロックされており、プロセスユニットの交換等の必要に応じて該ロックを解除して開くように構成されている。
【０００６】
前記カバーは、画像形成装置の小型軽量化や低コスト化に伴い、ＡＢＳ等の合成樹脂の成形品が一般的であるが、該カバーの剛性が余り高くないことや、Ａ３サイズに対応させるとカバーが大型化することから、カバーの操作時に若干の撓みが生じることがある。このため、カバーの両側にロックを設けていても、一方のみがロックされ、他方は完全にロックされずに、見かけ上カバーが閉じた状態となることがある（以下、このような片側のみのロック状態を「半ロック」という。）。
【０００７】
このようなカバーの半ロックを防止する手段として、カバー側にフック部材を一体成形し、本体側に該フック部材に係合するバネ部材を設け、そして、カバーの両側にロックセンサを設けるか、或いは、一方にロックセンサを設け、他方はバネ部材のバネ力を弱くするカバーのロック機構が発明されている（特許文献１参照）。カバー両側にロックセンサを設ければ、一方がロックされていないこと、即ち半ロックを検知することができ、また、ロックセンサのない側のバネ部材のバネ力を弱くすれば、ロックセンサのある側のフック部材がバネ部材に係合されるとロックセンサのない側のフック部材は必ずバネ部材と係合することとなり、ロックセンサのない側で半ロックが生じることがない。
【０００８】
【特許文献１】特開平８−１８７０５号公報
【発明の開示】
【発明が解決しようとする課題】
【０００９】
しかし、カバーの両側にロックセンサを設けるとコストが高くなり、ロックセンサのための配線スペースもカバーの両側に確保しなければならないという問題がある。また、バネ部材のバネ力は経時的に変化することを考慮すると、バネ力の強弱のみでフック部材との係合を調整することは容易でない。また、カバーに一体成形されたフック部材とバネ部材との係合によりカバーをロックする構造は、フック部材をカバーと別部材としてレバー等により操作する構成に比べて、部品点数や組立工数を少なくできるという利点はあるものの、カバーをロック状態から開く場合には、フック部材とバネ部材との係合をカバーに付与する力で解除することとなり、カバーの剛性が高くない場合には不適である。また、レバー等によりロック解除を行うことなくカバーを開くという操作は、ユーザに分かり難いという懸念もある。一方、例えば、合成樹脂製のカバーに適宜板金等を設けて又はカバー自体を板金から形成して、カバーの剛性を高めることも考えられるが、板金部材の増加や部品点数の増加はコスト面から好ましくなく、装置の軽量化という点からも好ましくない。
【００１０】
本発明は、かかる課題を解決すべくなされたものであり、装置内部にアクセスするために設けられたカバーの半ロックを、簡易且つ低コストで防止できる手段を提供することを目的とする。
【課題を解決するための手段】
【００１１】
本発明は、本体の開口部に枢設されて該開口部を開閉するカバーに、該開口部に設けられた受け部と係合して該カバーを閉止位置に保持する一対の鉤状のフックが設けられてなる画像形成装置において、前記一対の鉤状のフックは、ロックレバーに所定間隔で一体に設けられ、且つ、一方のフックの係合代が他方のフックの係合代より深く形成されており、該ロックレバーが、前記カバーに、フックが受け部と係合するロック位置とフックが受け部から離間する解除位置とに移動可能に設けられ、該カバーの閉止を検知するロックセンサが、係合代の浅い他方のフック側の前記本体又はカバーに設けられたことを特徴とする。
【００１２】
また、本発明は、前記ロックレバーをロック位置に付勢するための弾性部材が、係合代の深いフック側にのみ設けられたことを特徴とする。
【００１３】
また、本発明は、前記カバーに、補強リブが設けられたことを特徴とする。
【発明の効果】
【００１４】
本発明に係る画像形成装置によれば、受け部と係合してカバーを閉止位置に保持する一対の鉤状のフックが、ロックレバーに所定間隔で一体に設けられ、且つ、一方のフックの係合代が他方のフックの係合代より深く形成されており、該ロックレバーが、前記カバーに、フックが受け部と係合するロック位置とフックが受け部から離間する解除位置とに移動可能に設けられたので、係合代の深いフックのみが受け部に係合することは生じ得ても、係合代の浅いフックのみが受け部に係合することは生じない。この係合代の浅いフック側の本体又はカバーに、カバーの閉止を検知するロックセンサが設けられたので、ロックセンサを両側に設けることなく、半ロックを確実に検知することができる。また、ロックセンサのある側、即ち係合代の浅いフック側を押してカバーを閉じようとしても、係合代の深いフックが受け部に係合しなければ、係合代の浅いフックは受け部に係合しないのでカバーを閉じることができず、ユーザは双方のフックが受け部に係合するようにカバーを操作するようになる。
【００１５】
また、本発明によれば、前記ロックレバーをロック位置に付勢するための弾性部材が、係合代の深いフック側にのみ設けられたので、係合代の浅いフックは、係合代の深いフックよりロック方向に作用する力が弱くなってロックされ難くなる。これにより、係合代の深いフックでの半ロックを確実に防止できる。
【００１６】
また、本発明によれば、前記カバーに補強リブが設けられたので、カバーの剛性が高められ、カバーの撓みによる半ロックが生じ難くなる。
【発明を実施するための最良の形態】
【００１７】
図１は、本発明の実施の形態に係る画像形成装置を装備するコピー・ファクシミリ複合機１００の外観を示す概略斜視図であるが、図に示すように、コピー・ファクシミリ複合機１００は、フラットベッドスキャナとして機能する画像読取部１０１と、画像読取りや記録の開始等を入力するための操作パネル１０２と、記録用紙に画像を形成する画像形成装置等を内蔵した本体１０３と、記録用紙を順次供給する給紙カセット１０４とを具備してなる。該コピー・ファクシミリ複合機１００は、本体１０３の前面、即ち操作パネル１０２が設けられた面にフロントカバー３０が、右側面にジャムアクセスカバー３１が夫々設けられ、該フロントカバー３０、ジャムアクセスカバー３１を開放することにより、本体１０３の内部にアクセス可能となっている。
【００１８】
図２は、前記コピー・ファクシミリ複合機１００において画像形成装置を構成している本体１０３及び給紙カセット１０４の内部構成を示す概略断面図である。図に示すように、装置底部に記録用紙を順次供給する給紙カセット１０４が配設されており、該給紙カセット１０４の上方に画像形成部１０５が配設され、更にその上方に排紙トレイ１０６が配設されている。給紙カセット１０４から排紙トレイ１０６へ記録用紙を搬送するための搬送路１０７は、給紙カセット１０４の一端側から上方へ向かって延設されて画像形成部１０５に至り、更に上方へ延設された後、水平方向へ湾曲して排紙トレイ１０６へ通じるように形成されている。なお、図には示していないが、排紙トレイ１０６の上方に、前記画像読取部１０１及び操作パネル１０２が配設されている。
【００１９】
以下、前記コピー・ファクシミリ複合機１００の内部の概略構成について説明するが、本実施の形態に示すコピー・ファクシミリ複合機１００は一例であり、本発明の要旨を変更しない範囲で画像形成部１０５等のコピー・ファクシミリ複合機１００の内部構成は任意に変更可能である。
【００２０】
給紙カセット１０４は、各種サイズの記録用紙を貯蔵可能な箱状のものであり、装置底部に引出し可能に設けられて、必要に応じて記録用紙を装填できるようになっている。該給紙カセット１０４の内部には所定サイズの記録用紙を給紙位置に保持するガイド４０が配設されている。ガイド４０は、所定範囲で揺動可能に設けられており、その底板がバネ等（不図示）により上方へ付勢されることにより、複数枚の記録用紙を積重した状態で保持するとともに、その最上紙の一端側を給紙位置に常時位置せしめるようになっている。該給紙位置には、給紙ローラ４１及び分離パッド４２が設けられており、ガイド４０により給紙位置に位置せしめられた最上紙は給紙ローラ４１に圧接し、該給紙ローラ４１が回転することにより、分離パッド４２と給紙ローラ４１のローラ面とに圧接された記録用紙が１枚ずつ分離されて搬送路１０７へ供給される。
【００２１】
画像形成部１０５は、図２及び図３に示すように、感光体ドラム５１の周囲に配設された帯電デバイス５２、ＬＥＤヘッド５３、現像デバイス５４、転写ローラ５５、及びクリーニングデバイス５６と、感光体ドラム５１の下流側の搬送路１０７に配設された定着デバイス５７とから構成されている。これらのうち、感光体ドラム５１、帯電デバイス５２、現像デバイス５４、及びクリーニングデバイス５６は、プロセスユニット５０としてカートリッジに収容されて一体となっており、必要に応じて本体１０３から取り外して交換できるようになっている。
【００２２】
感光体ドラム５１は、表面に有機感光体による光導電膜が形成され、モータにより所定速度で回転するものであり、帯電デバイス５２により一定電圧に帯電される。帯電デバイス５２は、所謂スコロトロン帯電器と呼ばれる非接触のコロナ帯電方式のものであり、図には詳細に示していないが、半空間を形成するケーシング電極の略中心に放電ワイヤが配設されるとともに、感光体ドラム５１側にグリッド電極が配設されてなり、該放電ワイヤに所定の電圧が印加されることによりコロナ放電が生じ、該コロナ放電によるイオン量をグリッド電極で制御するものである。なお、帯電デバイス５２には、非接触のコロナ帯電方式に代えて接触型のローラ帯電方式等、他の帯電デバイスを採用してもよい。
【００２３】
ＬＥＤヘッド５３は、ＬＥＤアレイを記録画素数だけ並設し、該ＬＥＤアレイが発した光をセルフォックレンズアレイで感光体ドラム５１の表面に結像する所謂自己発光型のプリンタヘッドであり、前記感光体ドラム５１に対して画像情報に基づいて感光体ドラム５１の表面を選択的に露光して、該表面に静電潜像を形成するものである。帯電デバイス５２により帯電された感光体ドラム５１の表面は、ＬＥＤヘッド５３により露光されることにより表面電位が減衰し、露光されていない部分との電位差により静電潜像が形成される。また、画像情報は、例えばフラットベッドスキャナとして機能する読取載置台１０１が読み取った原稿の画像が電気信号としてＬＥＤヘッド５３に送信されるようになっている。なお、露光デバイスとしては、ＬＥＤヘッド５３の他に半導体レーザを用いた走査光学系のものを採用してもよい。
【００２４】
現像デバイス５４は、供給ローラ５８と、現像ローラ５９と、トナー容器６０とを具備してなり、不図示の電気回路から供給ローラ５８及び現像ローラ５９に各々に印加されるバイアス電圧の差によりトナー容器６０のトナーが供給ローラ５８を経て現像ローラ５９へ供給され、現像ローラ５９の表面にトナー層が形成される。トナー層が形成された現像ローラ５９が前記感光体ドラム５１に近接した位置で回転され、感光体ドラム５１の静電潜像との電位差により現像ローラ５９上のトナーが感光体ドラム５１へ移動し、該静電潜像に基づいてトナー画像が感光体ドラム５１の表面に形成される。なお、このような現像デバイス５４は一例であり、磁性トナー又は非磁性トナーの選択や、接触現像法又は非接触現像法の選択等は任意である。
【００２５】
転写ローラ５５は、ＥＰＤＭ発泡体又はウレタンスポンジからなるローラであり、搬送路１０７の対向位置において感光体ドラム５１に圧接されてなり、不図示の電気回路からバイアス電圧が印加されるようになっている。給紙カセット１０４から搬送路１０７を経て供給された記録用紙を感光体ドラム５１及び転写ローラ５５がニップしてバイアス電圧が印加されることにより、該感光体ドラム５１の表面に形成されたトナー画像が記録用紙へ転写される。
【００２６】
クリーニングデバイス５６は、転写後の感光体ドラム５１に圧接されたクリーニングブレードであり、不図示の電気回路から定電圧が印加されることにより、感光体ドラム５１の表面に残留したトナーや紙粉を除去するとともに静電潜像を消去するものである。これにより、感光体ドラム５１の表面が清掃されて連続使用が可能となる。なお、クリーニングデバイスとしては、クリーニングローラ等による他の接触型の方式や非接触方式も採用でき、また、クリーニングデバイス５６を用いないクリーニングレス方式とすることもできる。
【００２７】
定着デバイス５７は、搬送路１０７の対向位置に夫々配置された加熱ローラ６２及び加圧ローラ６３からなり、搬送路１０７を搬送された記録用紙上のトナー画像を加熱及び加圧して固定するものである。加熱ローラ６２の表面はヒータにより所定の温度に維持されており、該加熱ローラ６２に加圧ローラ６３が所定の圧力で圧接されている。トナー画像が転写された記録用紙が、該加熱ローラ６２と加圧ローラ６３とにニップされることにより記録用紙上のトナーが溶融されて固定される。このように構成された画像形成部１０５により、読取載置台１０１で読み取られた原稿の画像が記録用紙上に形成されるようになっている。
【００２８】
このように構成された画像形成部１０５へは、図２に示すように、前記給紙カセット１０４から搬送路１０７に沿って記録用紙が搬送され、画像形成部１０５により画像が形成された記録用紙は排紙トレイ１０６へ排出される。該搬送路１０７は、給紙カセット１０４から画像形成部１０５へ略上方に向かって延設されており、その途中に、記録用紙の搬送姿勢を調整するための一対のレジストローラ７０，７１が設けられている。また、画像形成部１０５と排紙トレイ１０６との間の搬送路１０７には適宜搬送ローラ７２が設けられており、該搬送ローラ７２により画像が形成された記録用紙が搬送され、排紙トレイ１０６へ排出される。このような搬送路１０７により、給紙カセット１０４から排紙トレイ１０６へＣパスが形成されている。
【００２９】
前記転写ローラ５５及びレジストローラ７０は、搬送路１０７の一部を構成する転写ガイド７３に回転可能に支持されている。該転写ガイド７３は、プロセスユニット５０の対向側となる搬送路１０７において搬送路１０７の幅方向に渡ってガイド面を構成するものであり、転写ローラ５５及び一方のレジストローラ７０を、各々感光体ドラム５１、他方のレジストローラ７１と対向するように回転可能に軸支しており、図３に示すように、各軸受け部（不図示）にバネ７４，７５が夫々設けられて、転写ローラ５５及びレジストローラ７０を夫々感光体ドラム５１、レジストローラ７１側へ付勢している。
【００３０】
前記転写ガイド７３は、転写ローラ５５及びレジストローラ７０が感光体ドラム５１及びレジストローラ７１と接離可能となるように、ジャムアクセスカバー３１に傾動可能に固定されており、プロセスユニット５０を交換する際や紙詰まりの解除の際に任意に傾動できるようになっている。また、図４に示すように、ジャムアクセスカバー３１が開かれると転写ガイド７３も共に開き、これにより、本体１０３の側方の開口部３２から画像形成部１０５付近にアクセスして紙詰まりの除去等を行えるようになっている。
【００３１】
以下、ジャムアクセスカバー３１のロック機構について詳細に説明する。
ジャムアクセスカバー３１は、図５に示すように、その外面が本体１０３の側面をなす平板状の部材であり、ＡＢＳ等の合成樹脂の成形品である。ジャムアクセスカバー３１の下端の両側には、本体１０３の開口部３２（図４参照）に枢設するための軸受け部３３が形成されており、該軸受け部３３が開口部３２に適宜設けられた軸３４（図４参照）と嵌合して、該開口部３２にジャムアクセスカバー３１が開閉自在に取り付けられる。ジャムアクセスカバー３１の内側面には、縦方向に補強リブ３５が列設されており、該補強リブ３５によってジャムアクセスカバー３１の剛性が高められている。また、ジャムアクセスカバー３１の内側には、前述したように、転写ガイド７３が固定されており、ジャムアクセスカバー３１の開閉とともに転写ガイド７３も開閉するようになっている。
【００３２】
また、ジャムアクセスカバー３１の上端には、図５に示すように、ロックレバー８０が設けられている。該ロックレバー８０もＡＢＳ等の合成樹脂の成形品であり、ジャムアクセスカバー３１の幅方向の両端から本体１０３（不図示）の内部へ夫々突出するように鉤状のフック８１，８２が一体に形成されている。該フック８１，８２が、図３に示すように、本体１０３の開口部３２に配設された受け部３６と係合して、ジャムアクセスカバー３１を閉止状態に維持する。このような受け部３６は、閉止位置のフック８１，８２に対応する開口部３２近傍において本体１０３のフレームに一体に形成しても、別部材を設けて本体１０３のフレームに固定することとしてもよい。
【００３３】
また、一方のフック８１の側方からはフィラー８３が突設されており、図３に示すように、ジャムアクセスカバー３１が閉じられることにより、該フィラー８３が本体１０３の開口部３２に設けられたロックセンサ３７に検知されるようになっている。ロックセンサ３７としては、光センサや磁気センサ等の任意のセンサを用いることができ、該ロックセンサ３７が本体１０３の制御部（不図示）と電気的に接続されて、ロックセンサ３７がフィラー８３を検知しない状態、即ちジャムアクセスカバー３１が閉じられていない状態では、コピー・ファクシミリ複合機１００は動作しないように制御されている。これにより、前記画像形成部１０５からのレーザ光の漏れ等を防止して装置の安全性が確保されている。
【００３４】
ロックレバー８０の両側には、側方へ向かって支軸８４が夫々突設されており、該支軸８４が、ジャムアクセスカバー３１の上端付近に形成された軸受け３８に支持されて、ジャムアクセスカバー３１の上端に、ロックレバー８０が、フック８１，８２が受け部３６と係合するロック位置とフック８１，８２が受け部３６から離間する解除位置とに回動可能に設けられている。また、ロックレバー８０のフック８２側にはバネ受け部８５が形成されており、該バネ受け部８５とジャムアクセスカバー３１との間に介設されたコイルスプリング８６により、ロックレバー８０はロック位置へ付勢されている。ジャムアクセスカバー３１の軸受け３８に支持されたロックレバー８０は、ジャムアクセスカバー３１の上端付近と当接してロック位置より上側への回動が規制されており、コイルスプリング８６により付勢されたロックレバー８１は、外力を受けない限り、フック８１，８２がロック位置となる姿勢に保持されている。さらに、ロックレバー８０がジャムアクセスカバー３１とともに本体１０３の側面として露出される位置には、操作ノブ８７が形成されており、ユーザは本体１０３の側方から該操作ノブ８７に手を掛けてロックレバー８０をコイルスプリング８６の付勢力に反して回動することにより、ロック位置から解除位置へロックレバー８０を移動させることができる。これにより、受け部３６からフック８１，８２が離れて、図４に示すように、ジャムアクセスカバー３１を開くことができる。
【００３５】
このようなロックレバー８０において、前記フック８１，８２のいずれか一方のみが受け部３６に係合し、他方は係合していないか或いは不完全な係合となって、見かけ上はジャムアクセスカバー３１が閉じられているものの完全には閉じられていない状態、即ち半ロックとなることを防止すべく、フック８１，８２は、その係合代が互いに異なるように形成されている。以下、フック８１，８２の係合代について詳述する。
【００３６】
図６（ａ）は本体１０３の前面側のフック８１を示すものであり、図６（ｂ）は本体１０３の背面側のフック８２を示すものであるが、図に示すように、フック８１，８２とも、先端からテーパ状に上下幅が拡幅されており、所定位置で該上下幅が略鉛直方向へ急激に狭められることにより上向きの鉤状をなしており、その急激に上下幅が狭められた部分より先端側が、上向きに凹状の各受け部３６に夫々係入することにより、フック８１，８２と各受け部３６とが係合するようになっている。このような鉤状のフック８１，８２において、図に示すように、略鉛直方向へ急激に狭められた分の上下幅を係合代Ｌ１，Ｌ２と呼ぶ。
【００３７】
このフック８１の係合代Ｌ１とフック８２の係合代Ｌ２とを対比すると、図に示すように、フック８２のテーパ状の拡幅をフック８１より大きくすることにより、係合代Ｌ２が係合代Ｌ１より深く形成されている（Ｌ１＜Ｌ２）。したがって、図７に示すように、ジャムアクセスカバー３１が閉じられる際にフック８１，８２が受け部３６の縁に当接することにより、ロックレバー８０が解除位置側へ回動される場合に、係合代Ｌ２が深いフック８２は受け部３６の縁と当接するが、ロックレバー８０に一体に形成されたフック８１は、該フック８２と同等だけ回動しており且つ係合代Ｌ１が浅いので、受け部３６の縁とは当接しない状態となる。また、前述したように、ロックレバー８０をロック位置に付勢するコイルスプリング８６は、係合代Ｌ２が深いフック８２側にのみ設けられているので、該フック８２に比べて、係合代Ｌ１が浅いフック８１は、ロック方向、即ち受け部３６と係合する方向に作用する付勢力が弱い。したがって、図に示すように、フック８２が受け部３６の縁と当接している状態では、ロックレバー８０が解除位置側へ回動しており、係合代Ｌ１が浅いフック８１は受け部３６と係合し得ない。よって、例えば、ユーザがフック８１側のみを押すようにしてジャムアクセスカバー３１を閉じようとしても、フック８２が受け部３６と係合されない限りフック８１が受け部３６と係合せず、ユーザが手を離せば、コイルスプリング８６の付勢力や自重によりジャムアクセスカバー３１は再び開く。このようにして、係合代Ｌ１が浅いフック８１のみが受け部３６と係合し、係合代Ｌ２が深いフック８２が受け部３６と係合しないような半ロックが生じないようにしている。
【００３８】
一方、ジャムアクセスカバー３１やロックレバー８０に撓みが生じれば、図８に示すように、係合代Ｌ２が深いフック８２のみが受け部３６に係合し、係合代Ｌ１が浅いフック８１が受け部３６に係合しないような半ロックは生じ得る。例えば、フック８１が受け部３６の縁と当接してロックレバー８０が解除位置側へ若干回動していたとしても、フック８２の係合代Ｌ２はフック８１の係合代Ｌ１より深いので、受け部３６と係合することがある。このような場合には、図に示すように、該フック８１側に設けられたフィラー８３がロックセンサ３７に検知されないので、前述したように、ユーザはコピー・ファクシミリ複合機１００を動作させることができず、例えば、エラーメッセージを操作パネル１０２に表示させたり警告音を発することにより、ユーザに半ロックを認識させることができる。また、前述したように、ジャムアクセスカバー３１は補強リブ３５によって撓みが生じ難くなっており、ジャムアクセスカバー３１の撓みによるフック８１側の半ロックは生じ難くなっている。
【００３９】
このようにして、ユーザがフック８１側のみを押すような操作でジャムアクセスカバー３１を閉じようとしても、フック８２がロックされない限りフック８１をロックできないので、ジャムアクセスカバー３１を物理的に閉じることができないようにし、一方、フック８２側のみを押すような操作でジャムアクセスカバー３１を閉じてフック８２のみがロックされる半ロック状態が生じ得ても、ロックセンサ３７により半ロックを検知して電気的にコピー・ファクシミリ複合機１００を動作させることができないようにし、更に、補強リブ３５によりジャムアクセスカバー３１の剛性を高めて、かかる半ロック自体を生じ難くしている。これにより、ジャムアクセスカバー３１の半ロックを簡易且つ低コストで防止でき、また、ユーザは、必然的に双方のフック８１，８２がともにロックされるようにジャムアクセスカバー３１を操作するようになる。
【００４０】
なお、本実施の形態では、本発明に係る画像形成装置をコピー・ファクシミリ複合機１００として実施した態様を説明したが、本発明に係る画像形成装置はコピー・ファクシミリ複合機１００に限定されず、単独機やプリンタ等、本発明の要旨を逸脱しない範囲内で実施形態を変更可能なことは勿論である。また、本実施の形態では、ジャムアクセスカバー３１を例にロック機構を説明したが、本発明はジャムアクセスカバー３１に限定されるものではなく、本体前面側のフロントカバー３０や、その他のカバーにおいても実現可能なことは当然である。
【図面の簡単な説明】
【００４１】
【図１】本発明の実施の形態に係るコピー・ファクシミリ複合機１００の外観構成を示す概略斜視図である。
【図２】コピー・ファクシミリ複合機１００の本体１０３内の構成を示す概略断面図である。
【図３】プロセスユニット５０付近の構成を示す拡大図である。
【図４】ジャムアクセスカバー３１が開かれた状態を示す拡大図である。
【図５】ジャムアクセスカバー３１等の構成を示す分解斜視図である。
【図６】（ａ）は、受け部３６と係合した状態のフック８１を示す拡大断面図であり、（ｂ）は、受け部３６と係合した状態のフック８２を示す拡大断面図である。
【図７】（ａ）は、受け部３６と係合できない状態のフック８１を示す拡大断面図であり、（ｂ）は、受け部３６の縁と当接した状態のフック８２を示す拡大断面図である。
【図８】（ａ）は、半ロック状態のフック８１を示す拡大断面図であり、（ｂ）は、半ロック状態のフック８２を示す拡大断面図である。
【図９】従来の画像形成装置の一例を示す模式図である。
【符号の説明】
【００４２】
３１  ジャムアクセスカバー
３２  開口部
３５  補強リブ
３６  受け部
３７  ロックセンサ
８０  ロックレバー
８１，８２  フック
８６  コイルスプリング（弾性部材）
１００  コピー・ファクシミリ複合機（画像形成装置）
１０３  本体
【図１】
2006039170.tif 000003
【図２】
2006039170.tif 000004
【図３】
2006039170.tif 000005
【図４】
2006039170.tif 000006
【図５】
2006039170.tif 000007
【図６】
2006039170.tif 000008
【図７】
2006039170.tif 000009
【図８】
2006039170.tif 000010
【図９】
2006039170.tif 000011